(57)【要約】【課題】ソックスの汚れを能率よく落とすことのできる専用の洗濯板を提供する。【解決手段】任意形状の板状凹凸部を設け、該凹凸部外周に環状の側板を設けたことを特徴とする。【選択図】      図７
2007111453.tif 000002
【特許請求の範囲】
【請求項１】
任意形状の板状凹凸部を設け、該凹凸部外周に環状の側板を設けたことを特徴とするソックス用洗濯板。
【発明の詳細な説明】
【技術分野】
【０００１】  この発明は、ソックスを能率良く洗濯するための洗濯板に関する。
【背景技術】
【０００２】  従来より、洗濯板が利用されてきているが、これはこの洗濯板に洗濯物を押しつけ、摩擦をくり返して洗濯するものであり、本発明にて示すように、ソックスの中に入れて用いる専用の洗濯板は現在のところ見当たらない。
【発明の開示】
【発明が解決しようとする課題】
【０００３】  現在では衣類の洗濯には洗濯機を用いるのが常識であるが、古くには洗濯板が使用されていた。これは、所定サイズの木板表面に連続凹凸を形成したもので、多くはたらい等に水や湯を入れ、洗剤を用い、この凹凸面に衣類を押しつけてこすることにより洗濯するものであった。
機械式の洗濯機の登場により、洗濯方法は大きな変化を遂げたがしかし少量の洗濯の場合や洗濯機では落ちにくい土・泥の汚れなどのときは、やはり手動による洗濯もなされている。
一般には既述の洗濯板を用いたり、あるいは手でもみ洗いをすることが多いが、ソックスの場合はその汚れ程度が大きいことが多く、また袋状物品であるために上記の洗濯手段ではその汚れを落とすために多くの時間と労力を要するものであった。
本発明は、以上のような従来からの衣類洗濯手段に関わる課題を解決するために発明されたもので、ソックスの中に入れて用いることによって能率良く汚れを落とすことのできる新規かつ有用なる物品を提供することを目的としたものである。
【課題を解決するための手段】
【０００４】  課題を解決する手段として本発明は、凹凸部と側板にてその主要部を構成した。
すなわち、任意形状の板状凹凸部を設け、該凹凸部外周に環状の側板を設ける。
本発明は以上の構成よりなるソックス用洗濯板である。
【発明の効果】
【０００５】  本発明によれば、ソックス内に挿入して使用する物品であるため、ソックス布地に対する十分なる摩擦効果が得られて能率良く汚れを落とすことのできる、有用なる物品を提供することができる。また、側板を有するのでその剛性も保たれるとともにソックスへの挿入も容易である。
【発明を実施するための最良の形態】
【０００６】  以下、本発明の実施形態について説明する。
図において、１は側板で、平面視において両端を半円形に形成するとともに平行部分を有する断面四角形の略環状体であり、合成樹脂による成型物である。また、その外端は面取りされる。２は凹凸部で、上記側板内側に位置し、側板と一体に成形される部分であり、縦断面では連続折曲状態として表現される。図３の例ではこの折曲角は９０度であり、側板の長手方向に対し直角方向に折曲部が露出する。この凹凸部の上下端距離は側板の上下端距離と一致する。本品はソックスに挿入できる程度のサイズに仕上げられ、ソックスに挿入して以下のように使用する。
まず、洗剤を溶かした溶液にソックスを浸漬し、次ぎに本品をソックス内に挿入する。
そして別品であるブラシを手に持ち、ソックス表面を押圧しながら連続往復させることにより、ソックス繊維内を溶液が出入りして洗濯される。
従来からの洗濯板では袋状のソックス洗濯に難がある。つまり、洗濯板にソックスを載せてこするとソックスの上布と下布が滑りを起こして十分なる摩擦が得られない。
しかるに本発明はソックス内に、凹凸部を有する本品を挿入する方式のため、この凹凸面とソックス布地とが直にこすれ合うため、能率良く洗濯することができる。【０００７】  ソックスはつま先やかかと部分が特に汚れやすいが図示のようにブラシを用いてこすることにより、これら部位の汚れも容易に落とすことができる。なお、洗濯機能上では凹凸部だけでよいが、合成樹脂の弾力のため、この凹凸部が撓んで力を入れにくくなるため、側板を設けてこのたわみを解消した。また、この側板によってソックスへの挿入時に凹凸部の布地への引っかかりを防止してスムースな挿入を可能とした。この凹凸部は上面と下面の双方に有するので、靴下をひっくり返すことにてソックスの別面も容易に洗濯することができる。なお、手の保護のため、側板端に面取りをほどこすこと望ましい。
本例では側板上下距離と凹凸部上下距離を同一とした。側板より凹凸部距離が大であるとソックス挿入時に凹凸が邪魔になって挿入しにくくなり、逆に凹凸部距離が小であると、洗濯時に凹凸面とソックス布地との間に距離が生じて洗いにくくなるが、同一距離としてこれらを防止している。【０００８】  図４〜図６は凹凸部形状の変化例を示すものである。
初例が直線状凹凸部としたのに対し、図４は円弧状、図５は折れ線状の凹凸部としたもので、断面視は連続折曲としている。図６は側板にて囲まれた平板の上下面に小円柱状凸部を多数設けたものであり、図８は側板を足形形状に近似させて形成したものであり、凹凸部は図１の例と同様である。また、側板の一部に突片１２を一体に形成し、この突片に適宜径の孔１３を設けており、使用後はこの孔を用いて壁面の適所に引っ掛けて乾燥させることができる。
以上、本発明について記したが、既述のようにソックス内に入れて用いる物品であるところに特徴を有し、小形であるためその収納や運搬も容易である。なお、凹凸部の折曲角度を９０度とした例を示したが、７０度〜１１０度の範囲内好ましくは８０度〜１００度の範囲で適宜に選択してもよい。また、本品を１種類だけでなく、ソックスサイズに適合するようにサイズを変えたものを数種類準備して用いることができる。
以上のごとく、本発明によってソックスの汚れを能率よく除去することのできる洗濯板を得ることができる。
【図面の簡単な説明】
【０００９】
【図１】  本発明の平面図
【図２】  本発明の正面図
【図３】  Ａ−Ａ断面図（ハッチング一部略）
【図４】  本発明の他例を示す平面図
【図５】  本発明の他例を示す平面図
【図６】  本発明の他例を示す平面図
【図７】  本発明の使用説明図（一部断面）
【符号の説明】
【００１０】  １  側板
２  凹凸部
３  凹凸部
４  凹凸部
５  小円柱状凸部
６  ブラシ
７  ソックス
１０  側板
１１  凹凸部
１２  突片
１３  孔
【図１】
2007111453.tif 000003
【図２】
2007111453.tif 000004
【図３】
2007111453.tif 000005
【図４】
2007111453.tif 000006
【図５】
2007111453.tif 000007
【図６】
2007111453.tif 000008
【図７】
2007111453.tif 000009
【図８】
2007111453.tif 000010
【手続補正書】
【提出日】平成17年12月14日(2005.12.14)
【手続補正１】
【補正対象書類名】明細書
【補正対象項目名】０００９
【補正方法】変更
【補正の内容】
【０００９】
【図１】本発明の平面図
【図２】本発明の正面図
【図３】Ａ−Ａ断面図（ハッチング一部略）
【図４】本発明の他例を示す平面図
【図５】本発明の他例を示す平面図
【図６】本発明の他例を示す平面図
【図７】本発明の使用説明図（一部断面）
【図８】本発明の変化例図